【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
Ａ１〜Ａ５からなる群から選択される少なくとも１つの第１のモノマーと、
【化１】
2009521591.tif 000001
Ａ１〜Ａ５、Ｂ１〜Ｂ７、およびＣ１〜Ｃ７からなる群から選択される少なくとも１つの第２のモノマーとから誘導される繰り返し単位を有するコポリマーであって、
【化２】
2009521591.tif 000002
【化３】
2009521591.tif 000003
【化４】
2009521591.tif 000004
Ｒ’＝Ｄ、アルキル、フルオロアルキル、ヘテロアルキル、アリール、ヘテロアリール、アルコキシ、フルオロアルコキシ、Ｎ（Ｒ’’’）２、Ｒ”であり、
Ｒ”＝反応性基であり、
Ｒ’’’＝アルキル、パーフルオロアルキル、アリールであり、
Ａｒ＝独立してフェニレン、ナフチレン、またはビフェニレンであり、
Ｅ＝Ｏ、Ｓ、（ＳｉＲｉｖＲｖ）ｎ、（ＣＲｉｖＲｖ）ｎ、またはそれらの組み合わせ（式中、ＲｉｖおよびＲｖはそれぞれ独立して、Ｈ、Ｆ、アルキル、アリール、アルコキシ、アリールオキシ、フルオロアルキル、フルオロアリール、フルオロアルコキシ、およびフルオロアリールオキシから選択され、ＲｉｖとＲｖとが一緒になって、非芳香環を形成することができる。）であり、出現するごとに異なっていてもよく、
Ｘ＝脱離基であり、
Ｙ＝アルキル、ヘテロアルキル、Ｒであり、
ａ＝０〜４であり、
ｂ＝０〜２０であり、
ｍ＝０〜５であり、
ｎ＝１〜２０であり、
ｑ＝０〜７であり、
さらに、前記第１のモノマーは前記第２のモノマーとは異なり、少なくとも１つのモノマーが少なくとも１つの反応性基を含有することを特徴とするコポリマー。
【請求項２】
ｂ＝０または１であることを特徴とする請求項１に記載のコポリマー。
【請求項３】
ｂ＝０であることを特徴とする請求項２に記載のコポリマー。
【請求項４】
前記第１のモノマーがモノマーＡ１であり、ａ＝ｂ＝０であることを特徴とする請求項１に記載のコポリマー。
【請求項５】
Ｒが３−ビニルフェニルであることを特徴とする請求項４に記載のコポリマー。
【請求項６】
コポリマー１〜１９：
【化５】
2009521591.tif 000005
【化６】
2009521591.tif 000006
【化７】
2009521591.tif 000007
【化８】
2009521591.tif 000008
【化９】
2009521591.tif 000009
【化１０】
2009521591.tif 000010
（式中、ｎが１０６以下である）
から選択されることを特徴とするコポリマー。
【請求項７】
請求項１に記載の少なくとも１つのコポリマーを含む少なくとも１つの層を含むことを特徴とする有機電子デバイス。
【請求項８】
前記少なくとも１つの層が、バッファ層および正孔輸送層からなる群から選択される層であることを特徴とする請求項７に記載の有機電子デバイス。
【請求項９】
請求項６に記載の少なくとも１つのコポリマーを含む少なくとも１つの層を含むことを特徴とする有機電子デバイス。
【請求項１０】
前記少なくとも１つの層が、バッファ層および正孔輸送層からなる群から選択される層であることを特徴とする請求項９に記載の有機電子デバイス。
【請求項１１】
前記少なくとも１つの層が正孔輸送層であることを特徴とする請求項１０に記載の有機電子デバイス。
【請求項１２】
請求項８に記載の有機電子デバイスであって、前記デバイスが以下の構造、即ち、アノード、バッファ層、正孔輸送層、光活性層、電子輸送層、電子注入層、カソードの構造をこの順序で有することを特徴とする有機電子デバイス。
【請求項１３】
請求項９に記載の有機電子デバイスであって、前記デバイスが以下の構造、即ち、アノード、バッファ層、正孔輸送層、光活性層、電子輸送層、電子注入層、カソードの構造をこの順序で有することを特徴とする有機電子デバイス。
【請求項１４】
有機電子デバイスの製造方法であって、
請求項１に記載のコポリマーを含む液体を提供するステップと、
アノードを提供するステップと、
前記コポリマーを含む前記液体を前記アノードと接触させるステップと、
前記コポリマーから前記液体を除去して正孔輸送膜を形成するステップと、
加熱して、前記正孔輸送膜の前記コポリマーを架橋させるステップと、
発光体を提供するステップと、
前記発光体を前記正孔輸送膜に隣接して配置するステップと、
電子輸送体を提供し、前記電子輸送体を前記発光体に隣接して配置するステップと、
前記電子輸送体に隣接してカソードを提供するステップとを含むことを特徴とする方法。
【請求項１５】
有機電子デバイスの製造方法であって、
請求項６に記載のコポリマーを含む液体を提供するステップと、 
アノードを提供するステップと、
前記コポリマーを含む前記液体を前記アノードと接触させるステップと、
前記コポリマーから前記液体を除去して正孔輸送膜を形成するステップと、
加熱して、前記正孔輸送膜の前記コポリマーを架橋させるステップと、
発光体を提供するステップと、
前記発光体を前記正孔輸送膜に隣接して配置するステップと、
電子輸送体を提供し、前記電子輸送体を前記発光体に隣接して配置するステップと、
前記電子輸送体に隣接してカソードを提供するステップとを含むことを特徴とする方法。
【手続補正２】
【補正対象書類名】明細書
【補正対象項目名】０１０６
【補正方法】変更
【補正の内容】
【０１０６】
本明細書において指定される種々の範囲内の数値が使用される場合、記載の範囲内の最小値および最大値の両方の前に単語「約」が付けられているかのように近似値として記載されている。この方法では、記載の範囲よりもわずかに上およびわずかに下のばらつきを使用して、その範囲内の値と実質的に同じ結果を得ることができる。または、これらの範囲の開示は、ある値の一部の成分を異なる値の一部の成分と混合した場合に生じうる分数値を含めて、最小平均値と最大平均値との間のすべての値を含む連続した範囲であることを意図している。さらに、より広い範囲およびより狭い範囲が開示される場合、ある範囲の最小値を別の範囲の最大値と一致させること、およびその逆のことが本発明の意図の範囲内である。
本出願は、特許請求の範囲に記載の発明を含め以下の発明を包含する。
（１）  Ａ１〜Ａ５からなる群から選択される少なくとも１つの第１のモノマーと、
【化１１】
2009521591.tif 000011
Ａ１〜Ａ５、Ｂ１〜Ｂ７、およびＣ１〜Ｃ７からなる群から選択される少なくとも１つの第２のモノマーとから誘導される繰り返し単位を有するコポリマーであって、
【化１２】
2009521591.tif 000012
【化１３】
2009521591.tif 000013
【化１４】
2009521591.tif 000014
Ｒ’＝Ｄ、アルキル、フルオロアルキル、ヘテロアルキル、アリール、ヘテロアリール、アルコキシ、フルオロアルコキシ、Ｎ（Ｒ’’’）2、Ｒ”であり、
Ｒ”＝反応性基であり、
Ｒ’’’＝アルキル、パーフルオロアルキル、アリールであり、
Ａｒ＝独立してフェニレン、ナフチレン、またはビフェニレンであり、
Ｅ＝Ｏ、Ｓ、（ＳｉＲivＲv）n、（ＣＲivＲv）n、またはそれらの組み合わせ（式中、ＲivおよびＲvはそれぞれ独立して、Ｈ、Ｆ、アルキル、アリール、アルコキシ、アリールオキシ、フルオロアルキル、フルオロアリール、フルオロアルコキシ、およびフルオロアリールオキシから選択され、ＲivとＲvとが一緒になって、非芳香環を形成することができる。）であり、出現するごとに異なっていてもよく、
Ｘ＝脱離基であり、
Ｙ＝アルキル、ヘテロアルキル、Ｒであり、
ａ＝０〜４であり、
ｂ＝０〜２０であり、
ｍ＝０〜５であり、
ｎ＝１〜２０であり、
ｑ＝０〜７であり、
さらに、前記第１のモノマーは前記第２のモノマーとは異なり、少なくとも１つのモノマーが少なくとも１つの反応性基を含有することを特徴とするコポリマー。
（２）  ｂ＝０または１であることを特徴とする（１）に記載のコポリマー。
（３）  ｂ＝０であることを特徴とする（２）に記載のコポリマー。
（４）  前記第１のモノマーがモノマーＡ１であることを特徴とする（１）に記載のコポリマー。
（５）  ａ＝ｂ＝０であることを特徴とする（４）に記載のコポリマー。
（６）  Ｒが３−ビニルフェニルであることを特徴とする（５）に記載のコポリマー。
（７）  コポリマー１〜１９から選択されることを特徴とするコポリマー。
【化１５】
2009521591.tif 000015
【化１６】
2009521591.tif 000016
【化１７】
2009521591.tif 000017
【化１８】
2009521591.tif 000018
【化１９】
2009521591.tif 000019
【化２０】
2009521591.tif 000020
（８）  ｎが１０6以下であることを特徴とする（７）に記載のコポリマー。
（９）  （１）に記載の少なくとも１つのコポリマーを含む少なくとも１つの層を含むことを特徴とする有機電子デバイス。
（１０）  前記少なくとも１つの層がバッファ層であることを特徴とする（９）に記載の有機電子デバイス。
（１１）  前記少なくとも１つの層が正孔輸送層であることを特徴とする（９）に記載の有機電子デバイス。
（１２）  （７）に記載の少なくとも１つのコポリマーを含む少なくとも１つの層を含むことを特徴とする有機電子デバイス。
（１３）  前記少なくとも１つの層がバッファ層であることを特徴とする（１２）に記載の有機電子デバイス。
（１４）  前記少なくとも１つの層が正孔輸送層であることを特徴とする（１２）に記載の有機電子デバイス。
（１５）  （９）に記載の有機電子デバイスであって、前記デバイスが、以下の構造、即ち、アノード、バッファ層、正孔輸送層、光活性層、電子輸送層、電子注入層、カソードの構造をこの順序で有することを特徴とする有機電子デバイス。
（１６）  （１２）に記載の有機電子デバイスであって、前記デバイスが、以下の構造、即ち、アノード、バッファ層、正孔輸送層、光活性層、電子輸送層、電子注入層、カソードの構造をこの順序で有することを特徴とする有機電子デバイス。
（１７）  有機電子デバイスの製造方法であって、
（１）に記載のコポリマーを含む液体を提供するステップと、
アノードを提供するステップと、
前記コポリマーを含む前記液体を前記アノードと接触させるステップと、
前記コポリマーから前記液体を除去して正孔輸送膜を形成するステップと、
加熱して、前記正孔輸送膜の前記コポリマーを架橋させるステップと、
発光体を提供するステップと、
前記発光体を前記正孔輸送膜に隣接して配置するステップと、
電子輸送体を提供し、前記電子輸送体を前記発光体に隣接して配置するステップと、
前記電子輸送体に隣接してカソードを提供するステップとを含むことを特徴とする方法。
（１８）  有機電子デバイスの製造方法であって、
（７）に記載のコポリマーを含む液体を提供するステップと、 
アノードを提供するステップと、
前記コポリマーを含む前記液体を前記アノードと接触させるステップと、
前記コポリマーから前記液体を除去して正孔輸送膜を形成するステップと、
加熱して、前記正孔輸送膜の前記コポリマーを架橋させるステップと、
発光体を提供するステップと、
前記発光体を前記正孔輸送膜に隣接して配置するステップと、
電子輸送体を提供し、前記電子輸送体を前記発光体に隣接して配置するステップと、
前記電子輸送体に隣接してカソードを提供するステップとを含むことを特徴とする方法。